(57)【要約】【課題】  ブルーレイディスクに加えて、ＤＶＤとＣＤの検査も一枚の光ディスクで実現できるようにする。【解決手段】  ブルーレイディスクの記録層にＲＯＭ領域とグルーブ領域とを形成した第一の部位２１と、ＤＶＤとＣＤのそれぞれの記録層にＲＯＭ領域とグルーブ領域とを形成した第二の部位１１とのそれぞれについて、後者がディスク中心から所定の半径までの部位を形成し、前者が残りの部位を形成するように、それぞれ一枚のディスクから切り出し、両者を前記所定の半径位置で接合させて１枚のディスクとして形成した。【選択図】  図１
2016004593.tif 000002
【特許請求の範囲】
【請求項１】
ブルーレイディスクの記録層にＲＯＭ領域とグルーブ領域とを形成した第一の部位と、ＤＶＤとＣＤのそれぞれの記録層にＲＯＭ領域とグルーブ領域とを形成した第二の部位とを、一方がディスク中心から所定の半径までの部位を形成し、他方が残りの部位を形成するように、それぞれ一枚のディスクから切り出し、両者を前記所定の半径位置で接合させて１枚のディスクとした検査用光ディスクと、
光ピックアップを備えた光ディスクドライブに前記検査用光ディスクを装填させた状態で、同光ピックアップを前記第二の部位に移動させて検査を実行するＤＶＤ／ＣＤ領域検査手段と、
前記光ピックアップを備えた光ディスクドライブに前記検査用光ディスクを装填させた状態で、同光ピックアップを前記第一の部位に移動させて検査を実行するブルーレイディスク領域検査手段とを備えたことを特徴とする光ディスクピックアップ検査装置。
【請求項２】
ブルーレイディスクとＤＶＤとＣＤとを再生可能な光ピックアップを備えた光ディスク再生装置であって、
ブルーレイディスクの記録層にＲＯＭ領域とグルーブ領域とを形成した第一の部位と、ＤＶＤとＣＤのそれぞれの記録層にＲＯＭ領域とグルーブ領域とを形成した第二の部位とを、一方がディスク中心から所定の半径までの部位を形成し、他方が残りの部位を形成するように、それぞれ一枚のディスクから切り出し、両者を前記所定の半径位置で接合させて１枚のディスクとした検査用光ディスクを装填させたときに、
前記光ピックアップを備えた光ディスクドライブに対して、同光ピックアップを前記第二の部位に移動させて検査を実行する光ディスク再生装置用ＤＶＤ／ＣＤ領域検査手段と、
前記光ピックアップを備えた光ディスクドライブに対して、同光ピックアップを前記第一の部位に移動させて検査を実行する光ディスク再生装置用ブルーレイディスク領域検査手段とを備えたことを特徴とする光ディスク再生装置。
【請求項３】
ブルーレイディスクの記録層にＲＯＭ領域とグルーブ領域とを形成した第一の部位と、ＤＶＤとＣＤのそれぞれの記録層にＲＯＭ領域とグルーブ領域とを形成した第二の部位とを、一方がディスク中心から所定の半径までの部位を形成し、他方が残りの部位を形成するように、それぞれ一枚のディスクから切り出し、両者を前記所定の半径位置で接合させて１枚のディスクとして形成されていることを特徴とする検査用光ディスク。
【請求項４】
前記第二の部位が内周側に形成されることを特徴とする請求項３に記載の検査用光ディスク。
【請求項５】
前記第一の部位と前記第二の部位との接合部位が厚み方向で重なり合うことを特徴とする請求項３または請求項４に記載の検査用光ディスク。
【請求項６】
前記第一の部位と前記第二の部位との接合部位で、内周に位置する側の外周側の先端と、外周に位置する側の内周側の先端とが径方向において係合するように接合していることを特徴とする請求項３〜請求項５のいずれかに記載の検査用光ディスク。
【請求項７】
一枚の光ディスクに、ブルーレイディスクのＲＯＭ領域とグルーブ領域とを有する記録層を形成した第一の部位と、ＤＶＤとＣＤのそれぞれのＲＯＭ領域とグルーブ領域とを有する記録層を形成した第二の部位とを備えた検査用光ディスクの製造方法であって、
一枚の光ディスクに前記第一の部位を形成し、他の一枚の光ディスクに前記第二の部位を形成し、一方の光ディスクはディスク中心から所定の半径までの部位を残して他を切除し、他方の光ディスクは残りの部位を形成するように中心側を切除し、両者を前記所定の半径位置で接合させて１枚のディスクとして形成することを特徴とする検査用光ディスクの製造方法。
【発明の詳細な説明】
【技術分野】
【０００１】
本発明は、光ディスクピックアップ検査装置、光ディスク再生装置、検査用光ディスクおよび検査用光ディスクの製造方法に関する。
【背景技術】
【０００２】
ブルーレイディスク（以下、ＢＤと省略することもある）と、ＤＶＤとＣＤとに対応した光ピックアップを製造する場合、製造された後に、ブルーレイディスクとＤＶＤとＣＤの各規格のディスクを再生可能か確認してから出荷される。
各規格毎に読み取り対象の光ディスクを交換して検査するのは手間がかかるので、一枚の光ディスクに複数の規格に対応した記録層を形成し、一枚の光ディスクで複数の規格の検査を実現できるようにする光ディスク（ハイブリッドディスクとも呼ぶ）が使用される。
【０００３】
特許文献１は、光ディスク及び光ディスク装置に関し、図１〜図３および段落００４８〜００５１には、ＣＤ／ＤＶＤ／ＢＤ領域を備えた１枚のディスクを光ディスク装置の検査ディスクとして使用することを開示している。
特許文献２は、基準ディスク、光ピックアップの調整方法及び光ディスク装置の調整方法に関し、図１および段落００３５〜００３８には、情報記録面を同心円状に分割した領域ＡＲ１，ＡＲ２で光透過層の厚さを異ならせた基準ディスク１１で、複数の規格を１枚のディスクで検査することを開示している。
【０００４】
特許文献３は、光情報記録媒体に関し、図１〜図３および段落００２０〜００２３には、第１の記録領域１０４と第２の記録領域１０５で、平滑面１０３から情報面までの垂直方向の距離が各々の記録領域で異なるようにして、複数の規格を１枚のディスクで検査することを開示している。
特許文献４は、記録媒体、当該記録媒体にデータを記録しその記録媒体からデータを再生するための装置および方法に関し、図１〜図６および段落００５８〜００６４には、記録媒体の各記録層は、内側領域、データ領域および「外側領域からなり、内側領域および外側領域にはＢＤ規格のパワーテスト領域と管理領域を含むようにして、ＢＤ規格を含む複数の規格を１枚のディスクで検査することを開示している。
【先行技術文献】
【特許文献】
【０００５】
【特許文献１】特開２０１１−４８９０２号公報
【特許文献２】特開２００１−４３５７４号公報
【特許文献３】特開平１０−１１２０６７号公報
【特許文献４】特表２００９−５４３２７１号公報
【発明の概要】
【発明が解決しようとする課題】
【０００６】
上述した特許文献１には、ＣＤ／ＤＶＤ規格に加え、ブルーレイディスク規格にも対応した光ディスクを開示している。しかし、一枚の光ディスクで、それぞれ記録層の異なる複数の規格に対応したものを製造するためには、専用の光ディスク装置を開発しなければならず、現実的ではなかった。
また、他の特許文献はいずれもＣＤ／ＤＶＤ規格にのみ対応しており、これらの二つの規格に対応する光ディスクの製造装置は現実に利用可能であるものの、これだけではブルーレイディスクの検査をすることができない。
【０００７】
本発明は、ブルーレイディスクに加えて、ＤＶＤとＣＤの検査も一枚の光ディスクで実現できるようにする。
【課題を解決するための手段】
【０００８】
本発明は、ブルーレイディスクの記録層にＲＯＭ領域とグルーブ領域とを形成した第一の部位と、ＤＶＤとＣＤのそれぞれの記録層にＲＯＭ領域とグルーブ領域とを形成した第二の部位とを、一方がディスク中心から所定の半径までの部位を形成し、他方が残りの部位を形成するように、それぞれ一枚のディスクから切り出し、両者を前記所定の半径位置で接合させて１枚のディスクとして形成される構成としてある。
【０００９】
前記構成において、ブルーレイディスクの記録層にＲＯＭ領域とグルーブ領域とを形成した第一の部位は一枚のディスクの一部として形成される。また、ＤＶＤとＣＤのそれぞれの記録層にＲＯＭ領域とグルーブ領域とを形成した第二の部位は他の一枚のディスクの一部として形成される。それぞれ一枚のディスクとして形成するので、両方を有するディスクを形成するために専用の装置を必要としない。その上で、一方がディスク中心から所定の半径までの部位を形成し、他方が残りの部位を形成するように、それぞれ一枚のディスクから切り出す。そして、両者を前記所定の半径位置で接合させて１枚のディスクとして形成する。言い換えると、ディスク中心から所定の半径までの部位が一方のディスクから形成され、残りの部位として同所定の半径から本来の最外周までの円環状の部位が他方のディスクから形成されている。
【００１０】
本発明の他の態様として、前記第二の部位が内周側に形成される構成としても良い。
前記構成において、第二の部位には、ＤＶＤとＣＤの記録層が形成される。ＤＶＤとＣＤの場合、サブビームを使用したグレーティング調整を行うが、内周側の方がトラックの曲率が大きく、トラックの曲率が大きい方がグレーティング調整を精度良く行える。ブルーレイディスクの記録層ではサブビームを使用したグレーティング調整を行なわないので、サブビームを使用したグレーティング調整を行なうＤＶＤとＣＤの記録層を内周面側に形成することで、外周側に配置する場合よりもグレーティング調整を精度良く行える。
【００１１】
本発明の他の態様として、前記第一の部位と前記第二の部位との接合部位が厚み方向で重なり合う構成としても良い。
前記構成において、前記第一の部位と前記第二の部位との接合部位では、厚み方向で重なり合うような断面形状としており、厚み方向で重なり合うことで接合する部位の面積が増やしている。
【００１２】
本発明の他の態様として、前記第一の部位と前記第二の部位との接合部位で、内周に位置する側の外周側の先端部分と、外周に位置する側の内周側の先端部分とが径方向において係合するように接合する構成としても良い。
前記構成において、前記第一の部位と前記第二の部位との接合部位で、内周に位置する側の外周側の先端部分と、外周に位置する側の内周側の先端部分とが径方向において係合する。内周側のディスクの一部には、外周側の先端部分が存在するし、外周側のディスクの一部には、内周側の先端部分が存在する。それぞれの先端部分が当接するのに加えて径方向において係合するためには、内周側の先端部分が外周側の先端部分と厚み方向において重なるように外周側に延びた後、外周側の先端部分における厚み方向に食い込むように先端が屈曲するような形状となっていなければならない。一方が他方に食い込む形状となっていることで、他方の側も同様に相手側に対して食い込む形状となっており、両者は係合する。このような形状とすることで、前記第一の部位と前記第二の部位とは接合部位で互いに相手側にしっかりと食い込み、接合の強度が向上することが期待できる。
【００１３】
なお、本発明は形成された検査用光ディスクとして実現されるのみならず、方法として実現することも可能であり、その意味で検査用光ディスクの製造方法として利用することもできる。より具体的には、一枚の光ディスクに、ブルーレイディスクのＲＯＭ領域とグルーブ領域とを有する記録層を形成した第一の部位と、ＤＶＤとＣＤのそれぞれのＲＯＭ領域とグルーブ領域とを有する記録層を形成した第二の部位とを備えた検査用光ディスクの製造方法であって、一枚の光ディスクに前記第一の部位を形成し、他の一枚の光ディスクに前記第二の部位を形成し、一方の光ディスクはディスク中心から所定の半径までの部位を残して他を切除し、他方の光ディスクは残りの部位を形成するように中心側を切除し、両者を前記所定の半径位置で接合させて１枚のディスクとして形成する。
【００１４】
また、以上のような検査用光ディスクを利用する態様として、光ディスクピックアップ検査装置と、光ディスク再生装置とが利用可能である。
すなわち、光ディスクピックアップ検査装置は、ブルーレイディスクの記録層にＲＯＭ領域とグルーブ領域とを形成した第一の部位と、ＤＶＤとＣＤのそれぞれの記録層にＲＯＭ領域とグルーブ領域とを形成した第二の部位とを、一方がディスク中心から所定の半径までの部位を形成し、他方が残りの部位を形成するように、それぞれ一枚のディスクから切り出し、両者を前記所定の半径位置で接合させて１枚のディスクとした検査用光ディスクと、光ピックアップを備えた光ディスクドライブに前記検査用光ディスクを装填させた状態で、同光ピックアップを前記第二の部位に移動させて検査を実行するＤＶＤ／ＣＤ領域検査手段と、前記光ピックアップを備えた光ディスクドライブに前記検査用光ディスクを装填させた状態で、同光ピックアップを前記第一の部位に移動させて検査を実行するブルーレイディスク領域検査手段とを備えたことを特徴とする。
【００１５】
また、光ディスク再生装置は、ブルーレイディスクとＤＶＤとＣＤとを再生可能な光ピックアップを備えた光ディスク再生装置であって、ブルーレイディスクの記録層にＲＯＭ領域とグルーブ領域とを形成した第一の部位と、ＤＶＤとＣＤのそれぞれの記録層にＲＯＭ領域とグルーブ領域とを形成した第二の部位とを、一方がディスク中心から所定の半径までの部位を形成し、他方が残りの部位を形成するように、それぞれ一枚のディスクから切り出し、両者を前記所定の半径位置で接合させて１枚のディスクとした検査用光ディスクを装填させたときに、前記光ピックアップを備えた光ディスクドライブに対して、同光ピックアップを前記第二の部位に移動させて検査を実行する光ディスク再生装置用ＤＶＤ／ＣＤ領域検査手段と、前記光ピックアップを備えた光ディスクドライブに対して、同光ピックアップを前記第一の部位に移動させて検査を実行する光ディスク再生装置用ブルーレイディスク領域検査手段とを備えたことを特徴とする。
【発明の効果】
【００１６】
本発明の検査用光ディスクは、ブルーレイディスクの記録層にＲＯＭ領域とグルーブ領域とを形成した第一の部位を有する一枚のディスクと、ＤＶＤとＣＤのそれぞれの記録層にＲＯＭ領域とグルーブ領域とを形成した第二の部位を有する一枚のディスクとを個別に形成しているので、三種類の規格に対応した独自のディスクを製造するための専用の装置を必要とせず、シンプルではあるが、これまでになく検査の手間を省略して生産性を向上させることが可能となる。
【００１７】
また、同検査用光ディスクを使用して、光ディスクピックアップ検査装置と、光ディスク再生装置とが実現可能となる。
【図面の簡単な説明】
【００１８】
【図１】検査用光ディスクの製造過程を示す模式図である。
【図２】外周側のトラックと内周側のトラックとグレーティングの様子を示す概略図である。
【図３】検査用光ディスクの断面図である。
【図４】検査用光ディスクの接合部を示す断面図である。
【図５】検査用光ディスクの接合部を示す断面図である。
【図６】検査用光ディスクの接合部を示す断面図である。
【図７】検査用光ディスクの接合部を示す断面図である。
【図８】検査用光ディスクの接合部を示す断面図である。
【図９】変形例にかかる検査用光ディスクを示す断面図である。
【図１０】検査用光ディスクを使用した光ディスクピックアップ検査装置を示す模式図である。
【図１１】光ディスクピックアップの概略ブロック図である。
【図１２】光ディスクピックアップ検査のフローチャートである。
【図１３】検査用光ディスクを使用した光ディスク再生装置を示す模式図である。
【図１４】光ディスク再生装置のファクトリー検査のフローチャートである。
【発明を実施するための形態】
【００１９】
（第一実施例）
以下、図面にもとづいて本発明の実施形態を説明する。
図１は、検査用光ディスクの製造過程を模式図により示している。
第一のディスク１０は、ＤＶＤの記録層とＣＤの記録層を形成した光ディスクである。所定の第一の径より内周側には、ＤＶＤとＣＤのそれぞれの記録層にＲＯＭ領域とグルーブ領域とを形成してある。ＤＶＤの記録層は、表面側から０．６ｍｍの深さに形成される。この厚みのことをカバーガラス厚とも呼ぶ。ＣＤの記録層は、表面側から１．２ｍｍの深さに形成される。ただし、この光ディスクの厚みが１．２ｍｍとなっており、下面を表面と呼ぶときに上面である裏面に記録層が形成される。そして、その上に図示していないが保護層を形成する。
【００２０】
第二のディスク２０は、ブルーレイディスクの記録層を形成した光ディスクである。所定の第一の径より外周側には、ブルーレイディスクの記録層にＲＯＭ領域とグルーブ領域とを形成してある。ブルーレイディスクの記録層は、表面側から０．１ｍｍの深さに形成される。
第一のディスク１０は、第一の径にて内周側と外周側とを分離し、前記記録層を形成してある内周側の部位だけを第二の部位１１として残し、外周側を除去（切除）する（第一工程）。次に、第二のディスク２０は、第一の径にて内周側と外周側とを分離し、前記記録層を形成してある外周側の部位だけを第一の部位２１として残し、内周側（中心側）を除去（切除）する（第二工程）。
【００２１】
その後、内周側の第二の部位１１の外周部分に、外周側の第一の部位２１を装着し、両者を接合した一枚の検査用光ディスク３０とする（第三工程）。
ブルーレイディスクの記録層にＲＯＭ領域とグルーブ領域とを形成した第一の部位２１と、ＤＶＤとＣＤのそれぞれの記録層にＲＯＭ領域とグルーブ領域とを形成した第二の部位１１とのそれぞれについて、後者がディスク中心から所定の半径までの部位を形成し、前者が残りの部位を形成するように、それぞれ一枚のディスクから切り出し、両者を前記所定の半径位置で接合させて１枚のディスクとして形成した。
【００２２】
このようにすると、検査用光ディスク３０は、第一の径よりも内側の部位に、ＤＶＤとＣＤのそれぞれの記録層にＲＯＭ領域とグルーブ領域とを形成した第二の部位を有し、第一の径よりも外側の部位に、ブルーレイディスクの記録層にＲＯＭ領域とグルーブ領域とを形成した第一の部位を有する一枚の光ディスクとなる。
この一枚の検査用光ディスク３０を使用すると、ブルーレイディスクとＤＶＤとＣＤとに対応した光ピックアップを製造する場合に、製造された後に、ブルーレイディスクとＤＶＤとＣＤの各規格のディスクを再生可能か確認することが可能である。すなわち、ＤＶＤとＣＤの読み取りについては内周側の第二の部位に光ピックアップユニットを移動して行えばよく、ブルーレイディスクの読み取りについては外周側の第一の部位に光ピックアップユニットを移動して行えばよい。３種類の規格の読み取り検査を一枚の光ディスクで行えるようになった。
【００２３】
一方、第二の部位１１については、ＤＶＤとＣＤの記録層だけを一枚の第一のディスク１０に形成することで製造可能であるし、第一の部位２１については、ブルーレイディスクの記録層だけを一枚の第二のディスク２０に形成することで製造可能である。従って、製造工程では既存の光ディスクの製造装置だけを使用して製造することが可能である。
【００２４】
この実施例では、内周側にＤＶＤとＣＤの記録層を有する第二の部位１１を配置し、外周側にブルーレイディスクの記録層を有する第一の部位２１を配置している。しかし、これらの配置は逆であっても良い。また、内周側と外周側との二つの領域に分離する場合だけでなく、一つまたはそれ以上の中間周を配置するようにしてもよい。すなわち、領域の数に応じて規格の異なる複数のディスクをそれぞれ一枚ずつ形成し、内周側から第一の径、第二の径、第三の径を設定し、順番に径が拡径していく円環状の部位を切り出し、対象となる領域を残して一枚の検査用光ディスクに合体させればよい。
【００２５】
ところで、前記第二の部位１１が内周側に形成される場合には、以下のような効果がある。
図２は、外周側のトラックと内周側のトラックとグレーティングの様子を概略図により示している。
まず、図２（Ａ）は内周側のトラックと、外周側のトラックの所在を示している。この実施例の場合、内周側のトラックはＤＶＤとＣＤの記録層が該当し、外周側のトラックはブルーレイディスクの記録層が該当する。
【００２６】
次に、図２（Ｂ）は内周側に形成されるトラックを所定の領域で囲んだ状態を示しており、図２（Ｃ）は外周側に形成されるトラックを所定の所定の領域で囲んだ状態を示している。位置する側において異なってくるのは、それぞれのトラックの曲がり具合、いわゆる曲率（１／ｒ）である。半径が小さいほど、曲率は大きくなる。ゆえに、内周側のトラックの曲率は外周側のトラックの曲率よりも大きい。
【００２７】
ここでＤＶＤとＣＤの読み取り用レーザー光に対するグレーティング調整では、主ビームに加えて二つのサブビームでの照射位置を調整する。一般的には、あるトラックを基準にしてその両脇のトラックにサブビームがかかる位置を見つけることで、グレーティングのセンター位置を決定する。図２（Ｄ）に示すように、このグレーティング調整は、曲率が大きいトラックの場合の方が、曲率が小さいトラックよりも早い段階で両脇のトラックにサブビームがかかるので、調整はよりシビアになる。
【００２８】
ただし、ブルーレイディスクでは、このようなサブビームを利用する調整を行わない。このため、ＤＶＤとＣＤの読み取り用レーザー光だけで調整を行うのであれば、より調整がシビアに行える内周側に配置した方が良い製品を製造できる。このため、内周側にＤＶＤとＣＤの記録層を有する第二の部位１１を配置するメリットが生じる。
図３は、検査用光ディスクを断面図により示している。
【００２９】
内周側のＤＶＤとＣＤの記録層を有する第二の部位１１と、外周側のブルーレイディスク記録層を有する第一の部位２１とが、接合部３１を介して接合されている。また、第二の部位１１の内部では、最も内側にＤＶＤの記録層にＲＯＭ領域が形成され（ＤＶＤ−ＲＯＭ）ており、その外周側の記録層にグルーブ領域が形成されている。グルーブ領域のさらに外周側には、５トラック分の幅毎に反射度合いの異なる記録層を交互に形成している。
【００３０】
第一の部位２１では、最外周の領域はＣＤ−ＲＯＭの領域を形成している。ＣＤ−ＲＯＭの領域は、下面側から見ると最深層となり、ＣＤ−ＲＯＭの記録層が形成されている領域にはＤＶＤの記録層が存在しないようにしている。
第一の部位２１と接合される第二の部位１１はブルーレイディスク用の記録層が形成され、さらにその内周側にはＤＶＤ−ＲＯＭ領域が形成され、その外周側にはグルーブ領域が形成されている。
【００３１】
（第二実施例）
第一実施例では、第二の部位１１と第一の部位２１との接合部位は、切断方向に平行な円筒面が対面するだけの構造であった。
図４は、検査用光ディスクの接合部を断面図により示している。
この第二実施例では、第二の部位１１１と第一の部位１２１との接合部位は、厚み方向で重なり合うようにしてある。この例では、第二の部位１１１の最外周の径をＲ１１１とし、第一の部位１２１の最内周の径をＲ１２１とすると、
【００３２】
Ｒ１２１＜Ｒ１１１
となっており、半径Ｒ１２１〜半径Ｒ１１１の範囲で両者が重なり合う。具体的には、内周側の第二の部位１１１は、半径Ｒ１２１よりも外周側で厚みがほぼ半分となるように上面側だけを残した下面側を削り取ってあり、外周側の第一の部位１２１は、半径Ｒ１１１よりも内周側で厚みがほぼ半分となるように下面側だけを残した上面側を削り取ってあり、第二の部位１１１と第一の部位１２１とが重なり合う部分を接着剤などを使用して貼り合わせて接合している。両者を接合することで一枚の検査用光ディスク１３０を形成することが可能となる。
【００３３】
重ね合わせる部位が生じることにより、内周側の部材と外周側の部材とが厚み方向でずれてしまわないようにし、精度を向上させることができる。
なお、厚み方向に重なり合う形状はこれに限らない。
図５は、変形例にかかる検査用光ディスクの接合部を断面図により示している。
この例では、第二の部位２１１と第一の部位２２１との接合部位は、厚み方向で重なり合うようにしてある。
【００３４】
この例では、第二の部位２１１の最外周の径をＲ２１１とすると、半径Ｒ２２１の部位から外周に向けて、第二の部位２１１は下面から上面に向けて徐々に径が拡径する円錐形状の一部となる端面の形状となっている。
また、これと反対に、第一の部位２２１の最内周の径をＲ２２１とすると、半径Ｒ２１１の部位から内周に向けて、第一の部位２２１は下面から上面に向けて徐々に径が拡径する端面の形状となっている。この場合の端面は内周面側となるので、いわゆる円錐形状の外周面に一致するような内周面を形成する。
【００３５】
精度上の誤差と接着剤代を除き、第一の部位２１１の円錐形状の外周面と、第二の部位２２１の円錐形状のない周面とはぴったり一致し、両者を接合して一枚の検査用光ディスク２３０を形成することが可能となる。
このように厚み方向に重なるのであれば、他の形状とすることも可能である。
【００３６】
（第三実施例）
第二実施例では、第一の部位と第二の部位とが接合部位が厚み方向で重なり合っている。
図６は、検査用光ディスクの接合部を断面図により示している。
本実施例では、前記第一の部位と前記第二の部位との接合部位で、内周に位置する側の外周側の先端と、外周に位置する側の内周側の先端とが径方向において係合するように接合している。言い換えると、フック状にした端面同士を互いに径方向にかみ合うように対面させて接合させている。
【００３７】
内周側の第二の部位３１１の最外周の径はＲ３１１であり、外周側の第一の部位３２１の最内周の径はＲ３２１であり、その中間の径をＲ３３１とする。内周側の第二の部位３１１は、径Ｒ３２１から径Ｒ３３１の部位で厚みを約１／３とするように下側から上側へと削り込み、次に、径Ｒ３３１から径Ｒ３１１の最外周までの部位は厚みを２／３として上面側だけを残すように下面側を削り落としている。一方の外周側の第一の部位３２１は、径Ｒ３１１から径Ｒ３３１の部位で厚みを約１／３とするように上側から下側へと削り込み、次に、径Ｒ３３１から径Ｒ３２１の最内周までの部位は厚みを２／３として下面側だけを残すように上面側を削り落としている。
【００３８】
このようにすると、内周に位置する第二の部位３１１の外周側の先端と、外周に位置する第一の部位３２１の内周側の先端とが、径方向にかみ合うような断面形状となっており、径方向にかみ合いつつ対面することで、さらに精度良く接合部位を形成して両者を接合して一枚の検査用光ディスク３３０を形成することが可能となる。
図７は、変形例にかかる検査用光ディスクの接合部を断面図により示しており、図８は、他の変形例にかかる検査用光ディスクの接合部を断面図により示している。
【００３９】
径方向にかみ合うためには、必ずしも円筒面で対面する必要はなく、図７に示すように第二の部位４１１と第一の部位４２１とが円錐形状の面で凹凸がかみ合うようにして一枚の検査用光ディスク４３０を形成しても良いし、図８に示すように第二の部位５１１と第一の部位５２１とが対面する面同士が曲面を描くようにしつつも径方向においてはかみ合い代を有するように対面させるようにして一枚の検査用光ディスク５３０を形成しても良い。
【００４０】
（第四実施例）
図９は、変形例にかかる検査用光ディスクを断面図により示している。
本実施例では、ＤＶＤとＣＤの記録層を有する一枚のハイブリッドの光ディスク６１０を用意し、その外周側の表面にブルーレイディスクの記録層を形成したブルーレイディスク領域６２０を形成する。なお、下面側が読み取り面であることは先の実施例と共通である。
【００４１】
ブルーレイディスク領域６２０をＤＶＤとＣＤの光ディスク６１０に積層する場合、ＤＶＤとＣＤの光ディスク６１０の所定の径よりも外周の下面の領域にブルーレイディスク反射膜を蒸着やスパッタによって形成する。この反射膜が記録層になるので、その記録層にＲＯＭ領域とグルーブ領域を形成する。この形成作業はスタンパで行うことができる。その後、カバーガラスとしての０．１ｍｍ厚みの透過層をスピンコートで形成する。
【００４２】
この結果、一枚の検査用光ディスク６３０を形成することが可能となる。
むろん、ブルーレイディスク反射膜を蒸着やスパッタによって形成する場合、ブルーレイディスク領域６２０が不要な箇所にはマスキングが必要となる。
ブルーレイディスク領域６２０では、ブルーレイディスクの記録層とＤＶＤとＣＤの記録層とが同じ半径の領域に存在することになる。しかし、それぞれの記録層の深度（カバーガラス厚）が相違し、ブルーレイディスクの読み取りレーザー光は、ＤＶＤとＣＤの記録層には集光しないため、問題はない。
【００４３】
また、同様の手法により、ＤＶＤとＣＤの記録層を有する一枚のハイブリッドの光ディスク６１０を用意し、内周面側の表面にブルーレイディスクの記録層を形成したブルーレイディスク領域を形成することも可能である。しかし、上述したように、光ピックアップのグレーティング（回折格子）調整の精度向上のためには、ＤＶＤグルーブが内周側にある方がメリットがある。
【００４４】
この検査用光ディスク６３０においては、最も内側にＤＶＤの記録層にＲＯＭ領域が形成され（ＤＶＤ−ＲＯＭ）、その外周側の記録層にＤＶＤグルーブ領域が形成され、さらに外周側には５トラック分の幅毎に反射度合いの異なる記録層を交互に形成し、その外周側にはＣＤの記録層にＣＤ−ＲＯＭ領域が形成され、ブルーレイディスク領域６２０が重ねて形成される部位からは、ブルーレイディスクＲＯＭ領域、その外周側にブルーレイディスクグルーブ領域が、順番に形成されていることになる。
【００４５】
（第五実施例）
次に、前記検査用光ディスクを使用した検査装置の実施例について説明する。
図１０は、検査用光ディスクを使用した光ディスクピックアップ検査装置を模式図により示しており、図１１は、光ディスクピックアップを概略ブロック図により示しており、図１２は、光ディスクピックアップ検査をフローチャートにより示している。
【００４６】
図１０において、光ディスクドライブ４０は、光ディスクピックアップを組み込んだドライブユニットである。図１１に示すように、光ディスクドライブ４０の内部構成は、外部機器からの制御コマンドを入力して装置全体を制御するコントローラー４１と、ＤＶＤとＣＤとＢＤへのアクセスが可能な光ディスクピックアップユニット４２と、スピンドルモーター４３と、トラッキングモーター４４と、トレイモーター４５などから構成されている。これらの内部構成については格別には説明しないが一般的な構成のものが該当する。
【００４７】
光ディスクピックアップ検査装置５０は、コンピューターとディスプレイと図示しないキーボードやマウスなどのヒューマンインターフェイス機器を備えている。そして、図１２に示すような検査手順に従うことで、接続された光ディスクドライブ４０の検査を実行する。なお、光ディスクピックアップ検査装置５０は、ＰＣで構成されており、内部には一般的なＣＰＵ、ＲＯＭ、ＲＡＭ、バス、Ｉ／Ｏ（インターフェイス）などが備えられている。
【００４８】
図１２に示すように、光ディスクピックアップ検査では、光ディスクピックアップ検査装置５０が、ステップＳ７０２にてハイブリッドディスクが挿入されているか判断する。検査作業では、まず、検査をする人が上述した検査用光ディスク３０を検査対象となる光ピックアップが組み込まれた光ディスクドライブ４０に挿入する。光ディスクドライブ４０に挿入する方法として、トレイに載置する場合もあるし、吸引形の引込機構で挿入する場合もあり、いずれの方法でも良い。
【００４９】
検査用光ディスク３０を検査対象となる光ディスクドライブ４０に挿入すると、まず、ステップＳ７０４にて、ＤＶＤ／ＣＤ領域へ光ピックアップを移動させる。具体的には、光ディスクピックアップ検査装置５０のＣＰＵが、バスを介してＩ／Ｏから光ディスクドライブ４０に所定のコマンドを送信する。すると、同コマンドを受信した光ディスクドライブ４０内の光ピックアップのコントローラー４１が同コマンドに基づいてトラッキングモーター４４を駆動する。上述したように検査用光ディスク３０は、内周側にＤＶＤ／ＣＤ領域である第二の部位１１が形成されているので、ＤＶＤ／ＣＤ領域へ光ピックアップを移動させるということは、光ピックアップを検査用光ディスク３０の内周側にある第二の部位１１へ移動させることになる。
【００５０】
光ピックアップが第二の部位１１に移動されたら、光ディスクピックアップ検査装置５０のＣＰＵは、ステップＳ７０６にて、ＤＶＤ／ＣＤ再生指示に対応するコマンドを光ディスクドライブ４０に送信する。このＤＶＤ／ＣＤ再生指示は複数の検査を実行させ、その実行の過程でエラーが発生するか否かを検査することを含んでいる。そして、このＤＶＤ／ＣＤ再生指示に対する実行過程においてエラーが発生した場合には、ステップＳ７０８にてエラーありと判断できるので、ステップＳ７１０にて、ＤＶＤ／ＣＤエラー報告を実施する。具体的には、あらかじめ用意しておいたＤＶＤ／ＣＤエラー報告用の変数に所定の値を設定すればよい。各種のエラーに対応してそれぞれの変数を用意しておき、初期値として「０」を設定している。そして、エラーが発生した場合にそのエラーに対応する変数に、例えば「１」を設定することでエラー報告とする。このようにしておけば、後の過程において、ディスプレイなどに検査結果を表示する際、同変数を参照して容易にエラー報告を実施することができる。
【００５１】
ＤＶＤ／ＣＤ再生指示としたが、光ディスクドライブ４０が記録再生が可能な場合は、記録指示を含めることも可能である。この場合、再生指示はＲＯＭ領域において行ない、記録指示はグルーブ領域において行なう。むろん、それぞれにおいて各領域へ光りピックアップを移動させるコマンドを送信し、その後、記録や再生の動作を行う。
ＤＶＤ／ＣＤ領域での検査が終了したら、光ディスクピックアップ検査装置５０は、ステップＳ７１２にてＢＤ領域へ光ピックアップを移動させる。光ディスクピックアップ検査装置５０のＣＰＵが、光ディスクドライブ４０に所定のコマンドを送信すると、同コマンドを受信した光ディスクドライブ４０内の光ピックアップのコントローラー４１がトラッキングモーター４４を駆動する。検査用光ディスク３０は、外周側にＢＤ領域である第一の部位２１が形成されており、ＢＤ領域へ光ピックアップを移動させるということは、光ピックアップを検査用光ディスク３０の外周側にある第一の部位２１へ移動させることになる。
【００５２】
光ピックアップが第一の部位２１に移動されたら、光ディスクピックアップ検査装置５０のＣＰＵは、ステップＳ７１４にて、ＢＤ再生指示に対応するコマンドを光ディスクドライブ４０に送信する。このＢＤ再生指示も複数の検査を実行させ、その実行の過程でエラーが発生するか否かを検査することを含んでいる。そして、このＢＤ再生指示に対する実行過程においてエラーが発生した場合には、ステップＳ７１６にてエラーありと判断できるので、ステップＳ７１８にて、ＢＤエラー報告を実施する。具体的には、あらかじめ用意しておいたＢＤエラー報告用の変数に所定の値を設定すればよい。例えば、初期値として「０」を設定しておき、エラーが発生した場合にそのエラーに対応する変数所定値を設定することでエラー報告とする。
この場合も、ＢＤ再生指示としたが、光ディスクドライブ４０が記録再生が可能な場合は、記録指示を含めることも可能であり、再生指示はＲＯＭ領域において行ない、記録指示はグルーブ領域において行なう。
【００５３】
本実施例においては、ステップＳ７０４〜ステップＳ７１０の処理が、光ピックアップを備えた光ディスクドライブに前記検査用光ディスクを装填させた状態で、同光ピックアップを前記第二の部位に移動させて検査を実行するＤＶＤ／ＣＤ領域検査手段（および光ディスク再生装置用ＤＶＤ／ＣＤ領域検査手段）に相当する。また、ステップＳ７１２〜ステップＳ７１８の処理が、光ピックアップを備えた光ディスクドライブに前記検査用光ディスクを装填させた状態で、同光ピックアップを前記第一の部位に移動させて検査を実行するブルーレイディスク領域検査手段（および光ディスク再生装置用ブルーレイディスク領域検査手段）に相当する。むろん、各ステップＳ７０４〜ステップＳ７１２の処理は、主要な動作だけを例示しており、これら以外のより具体的な処理を含んでいても構わない。
【００５４】
以上で、光ディスクピックアップ検査を終了する。上述した処理は主要部分であるので、さらに図示しないステップで上述したエラー報告の結果である変数を参照してディスプレイなどに検査結果を表示しても良い。また、さらなる検査工程を含むものであっても良い。
【００５５】
（第六実施例）
次に、前記検査用光ディスクを使用した光ディスク再生装置の実施例について説明する。
図１３は、検査用光ディスクを使用した光ディスク再生装置を模式図により示しており、図１４は、光ディスク再生装置のファクトリー検査をフローチャートにより示している。
図１３において、光ディスク再生装置６０は、上述した光ディスクドライブ４０を含んでおり、さらにコントローラーを含む制御部６１を備えている。制御部６１には、一般的なＣＰＵ、ＲＯＭ、ＲＡＭ、バス、Ｉ／Ｏ（インターフェイス）などが備えられている。また、光ディスク再生装置６０を操作するためのリモコン６２は、各操作に対応する赤外線信号を送出可能であり、光ディスク再生装置６０の図示しない受光器で同赤外線信号を受光し、制御部６１が同赤外線信号を解析してリモコンコマンドに対応する処理を実行させる。
【００５６】
光ディスク再生装置６０は、ユーザの操作に対応して動作する通常動作モードに加え、製造工程において動作検査を実施するファクトリーモードでの動作が可能である。また、リモコン６２は、光ディスク再生装置６０に対して、通常動作モードで動作するのか、ファクトリーモードで動作するのかを切り替えるリモコンコマンドも送信可能となっている。なお、ファクトリーモードとさせるリモコンコマンドは複数の操作ボタンなどを同時にまたは続けて操作することで送信することが多い。
【００５７】
本光ディスク再生装置６０は、上述した光ディスクドライブ４０を含んでいるため、ＤＶＤ／ＣＤ領域での検査と、ＢＤ領域での検査とを実施できるようにしている。具体的な検査内容は、上述した検査内容と実質的に同じである。検査の実行を制御するのは制御部６１である。
図１４に示すように、制御部６１のＣＰＵは、ステップＳ８０２にて、リモコンコマンドを受信したか判断し、受信した場合は、ステップＳ８０４にて、ファクトリーモードへの切換を指示するものか否かを判断する。ファクトリーモードへの切換を指示するものでない場合は、図示しない一般の動作を実行させることになる。
【００５８】
一方、ファクトリーモードへの切換を指示するものである場合、ステップＳ８０６にて、光ディスクピックアップ検査を実行する。この検査の内容は、上述したステップＳ７０２〜ステップＳ７１８の内容である。このように、ファクトリーモードへの切換後、光ディスクピックアップ検査を実行するので、ＤＶＤ／ＣＤ領域での検査と、ＢＤ領域での検査とを実施し、エラー報告として、それらの検査結果を得ることができる。また、このファクトリーモードでは、光ディスクピックアップの検査に加え、ステップＳ８０８にて他の検査を実行することが可能である。
【００５９】
なお、光ディスク再生装置６０は、記録再生が可能なものを含んでいる。従って、光ディスクドライブ４０が記録再生が可能な場合は、記録指示を含めることも可能であり、再生指示はＲＯＭ領域において行ない、記録指示はグルーブ領域において行なう。
【００６０】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００６１】
１０…ディスク、１１…第二の部位、２０…ディスク、２１…第一の部位、３０…検査用光ディスク、３１…接合部、１１１…第二の部位、１２１…第一の部位、２１１…第二の部位、２２１…第一の部位、２３０…検査用光ディスク、３１１…第二の部位、３２１…第一の部位、３３０…検査用光ディスク、４１１…第二の部位、４２１…第一の部位、４３０…検査用光ディスク、５１１…第二の部位、５２１…第一の部位、５３０…検査用光ディスク、６１０…光ディスク、６２０…ブルーレイディスク領域、６３０…検査用光ディスク、４０…光ディスクドライブ、４１…コントローラー、４２…光ディスクピックアップユニット、４３…スピンドルモーター、４４…トラッキングモーター、４５…トレイモーター、５０…光ディスクピックアップ検査装置、６０…光ディスク再生装置、６１…制御部、６２…リモコン。
【図１】
2016004593.tif 000003
【図２】
2016004593.tif 000004
【図３】
2016004593.tif 000005
【図４】
2016004593.tif 000006
【図５】
2016004593.tif 000007
【図６】
2016004593.tif 000008
【図７】
2016004593.tif 000009
【図８】
2016004593.tif 000010
【図９】
2016004593.tif 000011
【図１０】
2016004593.tif 000012
【図１１】
2016004593.tif 000013
【図１２】
2016004593.tif 000014
【図１３】
2016004593.tif 000015
【図１４】
2016004593.tif 000016